【手続補正書】
【提出日】平成18年11月21日(2006.11.21)
【手続補正１】
【補正対象書類名】明細書
【補正対象項目名】発明の名称
【補正方法】変更
【補正の内容】
【発明の名称】段ボールシート用切断装置及び段ボールシートの切断方法
【手続補正２】
【補正対象書類名】明細書
【補正対象項目名】特許請求の範囲
【補正方法】変更
【補正の内容】
【特許請求の範囲】
【請求項１】  段ボールシートの進行方向に沿って該段ボールシートを切断する段ボールシート用切断装置であって、
該段ボールシートの一面側から回転しながら食い込んで該段ボールシートを切断する第１の円板型刃物と、
該段ボールシートの他面側から回転しながら食い込んで該段ボールシートを切断する第２の円板型刃物とをそなえ、
該第１の円板型刃物は、その外周刃先部分が該段ボールシートの前記一面側から前記他面側へ突き通ることなく該段ボールシートをその厚さ方向について部分的に切断するように配置されるとともに、
該第２の円板型刃物は、その外周刃先部分が該段ボールシートの前記他面側から前記一面側へ突き通ることなく該第１の円板型刃物により切り残された部分を切断するように配置された
ことを特徴とする、段ボールシート用切断装置。
【請求項２】  該第１の円板型刃物は、その切断の直前に貼着されたライナ側から該段ボールシートを切断するように配置されている
ことを特徴とする、請求項１記載の段ボールシート用切断装置。
【請求項３】  該段ボールシートを挟んで該第１の円板型刃物に対向して配置され、該段ボールシートを該第１の円板型刃物へ向けて押さえる第１の押さえ手段と、
該段ボールシートを挟んで該第２の円板型刃物に対向して配置され、該段ボールシートを該第２の円板型刃物へ向けて押さえる第２の押さえ手段とをそなえた
ことを特徴とする、請求項１又は２記載の段ボールシート用切断装置。
【請求項４】  段ボールシートの進行方向に沿って該段ボールシートを切断する段ボールシートの切断方法であって、
第１の円板型刃物によって、その外周刃先部分が該段ボールシートの一面側から他面側へ突き通ることなく、該段ボールシートをその厚さ方向について部分的に切断する第１工程と、
第２の円板型刃物によって、その外周刃先部分が該段ボールシートの前記他面側から前記一面側へ突き通ることなく、該第１の円板型刃物により切り残された部分を切断する第２工程とを含む
ことを特徴とする、段ボールシートの切断方法。
【請求項５】  該第１の円板型刃物は、該第１工程の直前工程にて貼着されたライナ側から該段ボールシートを切断する
ことを特徴とする、請求項４記載の段ボールシートの切断方法。
【手続補正３】
【補正対象書類名】明細書
【補正対象項目名】０００１
【補正方法】変更
【補正の内容】
【０００１】
【発明の属する技術分野】
本発明は、両面段ボールシートを製造するコルゲートマシンに用いて好適の段ボールシート用切断装置及び段ボールシートの切断方法に関し、特に、両面段ボールシートをその進行方向（搬送方向，流れ方向）に沿って切断するスリッタ装置として用いられる、段ボールシート用切断装置及び段ボールシートの切断方法に関する。
【手続補正４】
【補正対象書類名】明細書
【補正対象項目名】００１６
【補正方法】変更
【補正の内容】
【００１６】
本発明は、このような課題に鑑み創案されたもので、ライナのかえりが外向きに生じるのを確実に防止し、切り口の見栄えを良好なものにするとともに、後工程でのジャムアップの発生を確実に防止できるようにした、段ボールシート用切断装置及び段ボールシートの切断方法を提供することを目的とする。
【手続補正５】
【補正対象書類名】明細書
【補正対象項目名】００１７
【補正方法】変更
【補正の内容】
【００１７】
【課題を解決するための手段】
上記目的を達成するために、本発明の段ボールシート用切断装置は、段ボールシートの進行方向に沿って該段ボールシートを切断するものであって、該段ボールシートの一面側から回転しながら食い込んで該段ボールシートを切断する第１の円板型刃物と、該段ボールシートの他面側から回転しながら食い込んで該段ボールシートを切断する第２の円板型刃物とをそなえ、該第１の円板型刃物は、その外周刃先部分が該段ボールシートの前記一面側から前記他面側へ突き通ることなく該段ボールシートをその厚さ方向について部分的に切断するように配置されるとともに、該第２の円板型刃物は、その外周刃先部分が該段ボールシートの前記他面側から前記一面側へ突き通ることなく該第１の円板型刃物により切り残された部分を切断するように配置されたことを特徴としている。
このとき、該第１の円板型刃物は、その切断の直前に貼着されたライナ側から該段ボールシートを切断するように配置されていることが好ましい。
【手続補正６】
【補正対象書類名】明細書
【補正対象項目名】００１８
【補正方法】変更
【補正の内容】
【００１８】
また、該段ボールシートを挟んで該第１の円板型刃物に対向して配置され該段ボールシートを該第１の円板型刃物へ向けて押さえる第１の押さえ手段と、該段ボールシートを挟んで該第２の円板型刃物に対向して配置され該段ボールシートを該第２の円板型刃物へ向けて押さえる第２の押さえ手段とをそなえてもよい。
また、本発明の段ボールシートの切断方法は、段ボールシートの進行方向に沿って該段ボールシートを切断するものであって、第１の円板型刃物によって、その外周刃先部分が該段ボールシートの一面側から他面側へ突き通ることなく、該段ボールシートをその厚さ方向について部分的に切断する第１工程と、第２の円板型刃物によって、その外周刃先部分が該段ボールシートの前記他面側から前記一面側へ突き通ることなく、該第１の円板型刃物により切り残された部分を切断する第２工程とを含むことを特徴としている。
このとき、該第１の円板型刃物は、該第１工程の直前工程にて貼着されたライナ側から該段ボールシートを切断することが好ましい。
【手続補正７】
【補正対象書類名】明細書
【補正対象項目名】００３６
【補正方法】変更
【補正の内容】
【００３６】
【発明の効果】
以上詳述したように、本発明の段ボールシート用切断装置及び段ボールシートの切断方法によれば、２組の円板型刃物より、段ボールシートをそれぞれ反対の方向から切断し、それぞれの円板型刃物の外周刃先部分が段ボールシートを突き通って反対側に出ることがないように配置されており、且つ、第１の円板型刃物が切り残した部分を第２の円板型刃物が切断するように構成されているので、段ボールシートの両面におけるライナのかえりはいずれも段ボールシートの内側に向かうことになり、ライナのかえりが外側にはみ出すことが無くなる。
【手続補正８】
【補正対象書類名】明細書
【補正対象項目名】００３７
【補正方法】変更
【補正の内容】
【００３７】
従って、ライナのかえりが外向きに生じるのを確実に防止し、切り口の見栄えを極めて良好なものにできるとともに、後工程でのジャムアップの発生を確実に防止することができるという効果がある（請求項１，４）。
また、第１の円板型刃物が直前工程で貼着されたライナ側から段ボールシートを切断するので、そのライナを片面段ボールシート側へ押し付けることになり、時間的に不充分な乾燥状態でもそのライナを芯紙から剥離させることがないという効果がある（請求項２，５）。
また、第１および第２の押さえ手段により、段ボールシートがそれぞれ第１および第２の円板型刃物から逃げるのを防止できるので、段ボールシートを確実に切断することができる効果もある（請求項３）。